(57)【特許請求の範囲】
【請求項１】
机等の天板上に左右方向に立設され、天板上の空間を前後方向に仕切る複数枚のフロントパネルと、フロントパネルに直交し天板上の空間を左右方向に仕切るサイドパネルよりなる机上用ついたてにおいて、フロントパネルは、同一部材からなる少なくとも上下一対の上下桟と、上下桟間に保持されたパネル部材と、上下桟の左右端部を保持する左右支持脚より構成され、上下桟は、支持脚に着脱自在に保持される固定部と固定部の内側でパネル部材を保持する取付部を有し、固定部と取付部は左右全幅にわたって上下端面が開口する上下係止溝を有する上下対称形で、同一部材から構成され、サイドパネルは、フロントパネルの上下桟の上下係止溝に係止する上下連結金具を介して連結されている事を特徴とする机上用ついたて。
【請求項２】
机等の天板上に左右方向に立設され、天板上の空間を前後方向に仕切る複数枚のフロントパネルと、フロントパネルに直交し天板上の空間を左右方向に仕切るサイドパネルよりなる机上用ついたてにおいて、フロントパネルは、同一部材からなる少なくとも上下一対の上下桟と、上下桟間に保持されたパネル部材と、上下桟の左右端部を保持する左右支持脚より構成され、上下桟は、支持脚に着脱自在に保持される固定部と固定部の内側でパネル部材を保持する取付部を有し、固定部と取付部は左右全幅にわたって上下端面が開口する上下係止溝を有する上下前後対称形で、同一部材から構成され、パネル部材は、少なくとも２種類以上の異なる機能を有する機能パネルを有し、機能パネルは、上下桟の上下係止溝から取付部に背中合わせに嵌入係止可能な上下嵌入係止突片を有し、上下嵌入係止突片は上下対称形に形成され、サイドパネルは、フロントパネルの上下桟の上下係止溝に係止する上下連結金具を介して連結されている事を特徴とする机上用ついたて。
【発明の詳細な説明】
【技術分野】
【０００１】
本発明は、机の天板上に立設して、机上の空間を仕切る机上用ついたてに関するものである。
【背景技術】
【０００２】
オフィス等において、多人数で共用される机の中には、左右方向を向くフロントパネルと、フロントパネルに直交するサイドパネルを天板上に立設した机上用ついたてが知られている。（例えば、特許文献１参照。）
【０００３】
【特許文献１】特開２００６−２０９８１号公報
【発明の開示】
【発明が解決しようとする課題】
【０００４】
上記特許文献１に記載されているものは、フロントパネルの両側端縁を支持する支柱は、上下全長にわたって、左右一端縁にフロントパネルの側端縁を嵌合する第１係合溝を形成し、左右他端側の中央部に突出部を形成し、前後両端側にサイドパネルの後端縁を嵌合し得る第２係合溝を形成したものであり、左右のサイドパネルをそれぞれ支持する両支柱の突出部を向き合わせた状態で形成される両支柱間の縦溝にサイドパネルの後端縁を嵌合して立起状態に保持してなるものであるから、一枚のフロントパネルについて２つの支柱を必要とし、左右方向に複数枚のフロントパネルが連設される場合は非常にコスト高となる。
又、サイドパネルは、支柱が位置する箇所以外には立設することができない。
【０００５】
本発明は上記問題点を解決するためになされたもので、机天板の左右幅に対応してフロントパネルを増設させる時には、必要最小限の部材を追加するだけでよく、又、フロントパネルの支柱位置に関係なくサイドパネルを立設することができる机上用ついたてを提供する事を課題とする。
【課題を解決するための手段】
【０００６】
そこで、上記課題を解決する為、本発明が第１の手段として構成したところは、机等の天板上に左右方向に立設され、天板上の空間を前後方向に仕切る複数枚のフロントパネルと、フロントパネルに直交し天板上の空間を左右方向に仕切るサイドパネルよりなる机上用ついたてにおいて、フロントパネルは、同一部材からなる少なくとも上下一対の上下桟と、上下桟間に保持されたパネル部材と、上下桟の左右端部を保持する左右支持脚より構成され、上下桟は、支持脚に着脱自在に保持される固定部と固定部の内側でパネル部材を保持する取付部を有し、固定部と取付部は左右全幅にわたって上下端面が開口する上下係止溝を有する上下対称形で、同一部材から構成され、サイドパネルは、フロントパネルの上下桟の上下係止溝に係止する上下連結金具を介して連結されているものである。
【０００７】
そして、上記課題を解決する為、本発明が第２の手段として構成したところは、机等の天板上に左右方向に立設され、天板上の空間を前後方向に仕切る複数枚のフロントパネルと、フロントパネルに直交し天板上の空間を左右方向に仕切るサイドパネルよりなる机上用ついたてにおいて、フロントパネルは、同一部材からなる少なくとも上下一対の上下桟と、上下桟間に保持されたパネル部材と、上下桟の左右端部を保持する左右支持脚より構成され、上下桟は、支持脚に着脱自在に保持される固定部と固定部の内側でパネル部材を保持する取付部を有し、固定部と取付部は左右全幅にわたって上下端面が開口する上下係止溝を有する上下前後対称形で、同一部材から構成され、パネル部材は、少なくとも２種類以上の異なる機能を有する機能パネルを有し、機能パネルは、上下桟の上下係止溝から取付部に背中合わせに嵌入係止可能な上下嵌入係止突片を有し、上下嵌入係止突片は上下対称形に形成され、サイドパネルは、フロントパネルの上下桟の上下係止溝に係止する上下連結金具を介して連結されているものである。
【発明の効果】
【０００８】
請求項１に記載の発明によると、上下桟が同一部材から構成されているので、部材点数が削減できると共に部材管理が容易で、安価に製作できる。
さらに、上下桟は固定部と取付部より構成され、固定部と取付部は左右全幅にわたって上下端面が開口する上下係止溝を有する上下対称形に形成されているので、パネル部材を上下桟を介して上下方向に積み重ねて取付ける事が可能となり、必要に応じて高さ寸法の異なるフロントパネルを簡単に得ることができる。又、サイドパネル後端の上下両端部をフロントパネルに連結したので、サイドパネルの前端部を机天板と連結しなくても強固に連結できるだけでなく、机等の使用人数に対応して、左右方向の適宜な位置に立設することができる。
【０００９】
請求項２に記載の発明によると、請求項１に記載の発明による効果に加え、上下桟は、前後対称形に形成され、パネル部材は、少なくとも２種類以上の異なる機能を有する機能パネルを有し、機能パネルは、上下桟の上下係止溝から取付部に背中合わせに嵌入係止可能な上下嵌入係止突片を有し、上下嵌入係止突片は上下対称形に形成されているので、それぞれ異なった機能を有する機能パネルを表裏に取り付けることで、多岐にわたるフロントパネルのバリエーションを得ることができる。
【発明を実施するための最良の形態】
【００１１】
机等の天板上に左右方向に立設され、天板上の空間を前後方向に仕切る複数枚のフロントパネルと、フロントパネルに直交し天板上の空間を左右方向に仕切るサイドパネルよりなる机上用ついたてにおいて、フロントパネルは、少なくとも上下一対の上下桟と、上下桟間に保持されたパネル部材と、上下桟の左右端部を保持する左右支持脚より構成され、上下桟は、支持脚に着脱自在に保持される固定部と固定部の内側でパネル部材を保持する取付部を有し、固定部と取付部は左右全幅にわたって上下端面が開口する上下係止溝を有する上下対称形でかつ前後対称形の同一部材から構成され、パネル部材は、少なくとも２種類以上の異なる機能を有する機能パネルを有し、機能パネルは、上下桟の上下係止溝から取付部に背中合わせに嵌入係止可能な上下嵌入係止突片を有し、上下嵌入係止突片は上下対称形に形成され、サイドパネルは、フロントパネルの上下桟の上下係止溝に係止する上下連結金具を介して連結されているものである。
【実施例】
【００１２】
以下、実施例を添付図面に基づいて詳述する。
図１は、本発明に係る机上用ついたてを適用した机の正面図を示し、図２は図１のＡ−Ａ線拡大断面図を示している。そして、図中で符号１は机を示し、符号２０は机１の天板１０上に取付けられた机上用ついたてを示している。
【００１３】
机１は、側面視門形の左右脚体１１、１１、左右脚体１１、１１の前後端部を連結する前後補強枠１２、１２と、前後補強枠１２、１２の左右方向の中央部に連結されたＴ字型の中間脚１３と、中間脚１３の上端前後方向中央部と左右脚体１１、１１の上端前後方向中央部間に連結された略Ｕ字形の左右配線ダクト１４、１４と中間脚１３の前後方向中央部上面と、中間脚１３と左右の脚体１１間の中間部の左右配線ダクト１４、１４上面に設けられた連結補強材（図示せず。）と、左右配線ダクト１４、１４上面と前後補強枠１２、１２間の所望位置に着脱自在に設けられる補強部材（図示せず。）と、左右脚体１１、１１、前後補強枠１２、１２、中間脚１３、連結補強材等の上面に連結される天板１０より構成されている。
【００１４】
尚、符号１５，１５は左右配線ダクト１４、１４の下面左右方向に設けられた前後仕切用幕板、符号１６は左右脚体１１、１１の内面上部に配設された左右前後幕板を示している。
そして、天板１０は左右配線ダクト１４、１４の上面が開口するよう前後に分割された前後天板１０１、１０１と、前後天板１０１、１０間に配線用間隙を有し、左右配線ダクト１４、１４の上面に着脱自在に取付けられた、左右方向に複数枚の取外し用天板１０３・・・より構成されている。
【００１５】
机上用ついたて２０は、取外し用天板１０３・・・の前後方向中央部に位置して天板１０上の空間を前後方向で仕切る、左右方向に連続する複数枚のフロントパネル２・・・と、フロントパネル２・・・に直交し、天板１０上の空間を左右方向に仕切る複数枚のサイドパネル３・・・より構成されている。
【００１６】
フロントパネル２は、左右方向のフロントパネル２・・・が共用する左右支持脚２１、２１と、左右支持脚２１、２１間に保持され、上下方向に所定間隔を有して配設された上下桟５、５と、上下桟５、５間に設けられた、異なった機能を有する複数枚のパネル部材６・・・より構成されている。
【００１７】
左右支持脚２１、２１は、左右に対向した同一形状で、上下端部に左右方向に貫通する貫通螺孔２１１・・・が形成され、下方から連結ボルト４０にて連結用基板４と連結するための上下方向を向く連結用螺孔２１３が下面に形成されている。
【００１８】
連結用基板４・・・は、取外し用天板１０３・・・及び前後天板１０１、１０１と、上端面が面一となるよう、上端面に左支柱脚２１あるいは右支柱脚２１を連結ボルト４０にて連結立設した状態で、取外し用天板１３・・・間に位置して、左右配線ダクト１４、１４の上面に連結される。
【００１９】
上下桟５、５は、断面略円筒形の同一形状の同一部材から構成され、内部を上下方向に区画する仕切り壁５１と、仕切り壁５１の前後端部に連設され、上下端部で前後方向に所定間隔を有し左右方向に全幅にわたって上下係止溝５２、５２が形成された、円弧上の前後外周壁５３、５３より、前後対称かつ上下対称形に構成されている。
【００２０】
そして、上桟５は、仕切り壁５１の上方と前後外周壁５３、５３の上部でかこまれた箇所を、左右支持脚２１、２１に取付けられた嵌合軸５５・・・を介して左右支持脚２１、２１に着脱自在に保持される固定部５４とし、固定部５４の内側で仕切り壁５１の下方と前後外周壁５３、５３の下部で囲まれた箇所をパネル部材６を保持する取付部５６としている。
【００２１】
一方、下桟５の場合は、上桟５と上下に対向した状態に配設されているので、仕切り壁５１の下方と前後外周壁５３、５３の下部で囲まれた箇所が、左右支持脚２１、２１に取付けられた嵌合軸５５・・・を介して左右支持脚２１、２１に着脱自在に保持される固定部５４となり、固定部５４の内側で仕切り壁５１の上方と前後外周壁５３、５３の上部でかこまれた箇所がパネル部材６を保持する取付部５６となる。
【００２２】
上記嵌合軸５５は、前記右支持脚２１あるいは左支持脚２１に形成された貫通螺孔２１１の略半分程度の深さまで螺合する螺軸部５５１と、螺軸部５５１より大径で前記固定部５４に緊密に嵌合する嵌合部５５２より形成されている。
そして、嵌合部５５２の螺軸部５５１側と反対側の端面には螺合時の操作用溝５５３が形成されている。
【００２３】
パネル部材６は、押しピン等によるピンナップを可能としたピンナップパネル６１と、磁石の吸着によるメモの貼着と押しピンによるピンナップの両方を可能としたパンチングパネル６２と、収納トレー等を引っ掛けて取り付け可能とした係止パネル６３等の少なくとも２種類以上の異なる機能を有する機能パネルと、単に布地、アクリル板等による対面側との目隠しを行う目隠しスクリーン６４より構成されている。
【００２４】
ピンナップパネル６１（図８に示す。）は、表面にクロス張りをしたピンナップ可能な材料（例えばインシュレーションボード）からなる表面側基板６１１の裏面に、前記上下桟５、５の下上係止溝５２、５２から取付部５６、５６内に嵌入する略逆Ｌ字形と略Ｌ字形の上下嵌入係止突片６１２、６１２が上下端部に形成された裏面側取付基板６１３から構成され、２枚のピンナップパネル６１、６１を背中合わせに重ねて上下桟５、５にて上下嵌入係止突片６１２・・・を保持することで、表裏共にピンナップ機能を有するパネル部材６が構成される。
【００２５】
パンチングパネル６２（図９に示す。）は、ピンナップ可能な材料（例えば再生ＰＥＴボード）からなる裏面側基板６２１の表面に、前記上下桟５、５の下上係止溝５２、５２から取付部５６、５６内に嵌入する略逆Ｌ字形と略Ｌ字形の上下嵌入係止突片６２２、６２２が上下端部に形成されたパンチングメタルからなる表面側取付基板６２３より構成され、２枚のパンチングパネル６２、６２を所定厚みを有する２枚のぺーパーコア６２５、６２５を介して背中合わせに重ねて上下桟５、５にて上下嵌入係止突片６２２・・・を保持することで、磁石の吸着によるメモの貼着と、押しピンによるピンナップの両方の機能を有するパネル部材６が構成される。
【００２６】
係止パネル６３（図１０に示す。）は、収納トレー等を引っ掛けて取り付け可能とした係止突条６３０・・を上下方向に複数段形成した係止板６３１と、係止板６３１の下方に位置し、前記ピンナップパネル６１の表面側基板６１１と同様の仕様とした下側ピンナップ板６３２の裏面に、前記上下桟５、５の下上係止溝５２、５２から取付部５６内に嵌入する略逆Ｌ字形と略Ｌ字形の上下嵌入係止突片６３３、６３３が上下端部に形成された係止板取付用基板６３４から構成され、２枚の係止パネル６３、６３を背中合わせに重ねて上下桟５、５にて上下嵌入係止突片６３３・・・を保持することで、収納トレー等を引っ掛けて取り付け可能としたパネル部材６が構成される。
尚、符号６３５、６３６は、係止板取付用基板６３４、６３４を背中合わせに重ねる時、上下方向で係合して係止パネル６３、６３を相互に補強する上下係合補強材を示している。
【００２７】
目隠しスクリーン６４（図７に示す。）は、一枚のスクリーン生地６４１と、スクリーン生地６４１の上下端部を巻き付けた状態で、上下桟５、５の左右端部から取付部５６内に嵌入し、スクリーン生地６４１の上下端部を下上係止溝５２、５２間に挿通せしめる嵌入止着部材６４２、６４２と、スクリーン生地６４１の上下端部の表裏で嵌入止着部材６４２、６４２と前後外周壁５３・・・の下上端部間に嵌入して、スクリーン生地６４１を強く張設するための張設用嵌入部材６４３・・・より構成されている。
【００２８】
フロントパネル２は上記のごとく構成され、次のようにして机上に立設される。
取外し用天板１０３・・・を取外した状態で、支持脚２・・・を連結ボルト４０にて連結した所定位置の連結用基板４を左右配線ダクト１４、１４の所定位置上面に連結して支持脚２を所定位置に立設し、嵌合軸５５、５５を支持脚２の上下桟５、５が取り付く側に螺合する。
【００２９】
次に、所望のパネル部材６を構成し（例えばピンナップパネル６１、６１を背中合わせに重ねてパネル部材６を構成した場合）、上下嵌入係止突片６１２・・・が下上係止溝５２
、５２から取付部５６、５６内に位置するよう、上下嵌入係止突片６１２・・・の左右方向の一方側端部から、上下桟５、５を差し込み、パネル部材６の上下端部に上下桟５、５を取り付けた状態で、上下桟５、５の固定部５４、５４の左右方向の一端部を、支持脚２に取付けた嵌合軸５５、５５の嵌合部５５２、５２２・・・に緊密に嵌合した後、上下桟５、５の固定部５４、５４の他方側に、連結用基板４を連結した支持脚２の嵌合軸５５、５５を嵌合し、連結用基板４を配線ダクト１４の所定位置上面に連結する。
この状態で、下桟５と前後天板１０１、１０１間には所定の配線作業用空間が形成されるので、取外し用天板１０３・・・を取外した状態で、フロントパネル２が立設されていても配線ダクト１４内への配線作業が容易であり、又、取外し用天板１０３の着脱作業も容易である。
【００３０】
次に、上記フロントパネル２の左右方向に他のフロントパネル２を増設する場合は、取外し用天板１０３・・・が取外された状態で、既に立設されたフロントパネル２の支柱２１の増設側に嵌合軸５５、５５を螺合し、支柱２１に取付けられた嵌合軸５５・・・に、上記手順と同様にしてパネル部材６と連結された上下桟５、５の固定部５４、５４の左右方向の一方側の端部を嵌合し、他方側の端部に連結用基板４が連結された支持脚２１の嵌合軸５５、５５を嵌合した後、その連結用基板４を左右配線ダクト１４の所定位置上面に連結し、順次同じ手順にてフロントパネル２を増設する。
【００３１】
尚、上下桟５、５は同形で、上下前後対称形に形成され、少なくとも、ピンナップパネル６１とパンチングパネル６２はそれぞれ背中合わせに重ねた状態で、上下嵌入係止突片６１２・・・、６２２・・・は、上下桟５、５にて保持される構成であるから、図１９に示すように一枚のぺーパーコア６２５を介して、表側にピンナップパネル６１を、裏側にパンチングパネル６２を背中合わせに取付けることにより、異なった種類の（異なった機能を持つ）パネル部材６を構成することも可能であるから、パネル部材６のバリエーションを簡単に増やす事ができる。
【００３２】
さらに、図１８に示すように、左右支持脚２１、２１の高さ寸法を大きく形成し、その所定高さ位置に貫通螺孔２１１を形成したり、あるいは、パネル部材６の高さ寸法を小さく形成し、左右支持脚２１、２１の所定高さ位置に嵌通螺孔２１１・・・を形成し、貫通螺孔２１１・・・に嵌合軸５５・・・を螺合し、上下嵌入係止突片６１２、６２２、６３３の嵌合軸５５・・・の嵌合部５５２・・・が位置する箇所を切り欠いておくことにより、中央上連結金具
【００３３】
サイドパネル３は、前後支持脚３１、３１と、前後支持脚３１、３１の下面に取付けられた支持台３１１、３１１と上下連結桟７、７と、上下連結桟７、７間に張設されるサイドスクリーン部材３０より構成され、上下連結金具を介して、フロントパネル２に連結されている。
【００３４】
前後支持脚３１、３１は、前後に対向し、左右支持脚２１、２１と同一形状で、上下端部に前後方向に貫通する連結用貫通孔３１２・・・が形成され、下方から連結ネジ（皿ネジ）３１０にて支持台３１１と連結するための上下方向を向く支持台連結用螺孔３１３が下面に形成されている。
【００３５】
上下連結桟７、７は、実施例では前記上下桟５、５と同形の断面略円筒形の同一形状に形成され、内部を上下方向に区画する隔壁７１と、隔壁７１の左右端部に連設され、上下端部で左右方向に所定間隔を有し前後方向に全幅にわたって上下挿通溝７２、７２が形成された、円弧上の左右周壁７３、７３より、左右対称かつ上下対称形に構成されている。
【００３６】
そして、上連結桟７は隔壁７１と上方と左右周壁７３の上部でかこまれた箇所を前後支持脚３１、３１と連結するための連結固定部７４とし、連結固定部７４の下側で隔壁７１と下方と左右周壁７３の下部でかこまれた箇所をサイドスクリーン部材３０を保持する保持部７６とし、連結固定部７４内には前後端面に前後方向の連結用螺孔が形成された上連結杆７５が貫挿している。
【００３７】
一方、下連結桟７の場合は、上連結桟７と上下に対向した状態に配設されているので、隔壁７１の下方と左右周壁７３の下部でかこまれた箇所が、前後支持脚３１、３１と連結するための連結固定部７４となり、連結固定部７４の内側（上側）で隔壁７１の上方と左右周壁７３の上部でかこまれた箇所がサイドスクリーン部材３０を保持する保持部７６となり、連結固定部７４内には前後端面に前後方向の連結用螺孔が形成された下連結杆７５が貫挿している。
【００３８】
サイドスクリーン部材３０は、一枚のスクリーン生地３２と、スクリーン生地３２の上下端部を巻き付けた状態で、上下連結桟７、７の前後端部から保持部７６内に嵌入し、スクリーン生地３２の上下端部を下上挿通溝７２、７２間に挿通せしめる貫挿止着部材３３、３３と、スクリーン生地３２の表裏側で貫挿止着部材３３、３３と左右周壁７３・・・の下上端部間に嵌入して、スクリーン生地３２を強く張設するための張設用部材３４・・・より構成されている。
【００３９】
サイドパネル３は、上記のごとく構成され次のようにして組み立てられる。
スクリーン生地３２の上下端部に貫挿止着部材３３、３３を取り付け、上下連結杆７５、７５を固定部７６、７６内に貫挿した上下連結桟７、７の保持部７６、７６の前後端部側の一方から貫挿止着部材３３、３３を嵌入し、さらに、張設用部材３４・・・を嵌入して、上下連結桟７、７、スクリーン生地３２を一体とし、この状態の上下連結桟７、７の前後端部に、支持台３１１、３１１が下面に連結された前後支持脚３１、３１を当接し、連結用貫通孔３１２・・・を貫通して連結用皿ネジ７５０・・・を上下連結杆７５・・・の連結用螺孔に螺合して、前後支持脚３１、３１、上下連結桟７、７を連結して組み立てられ、上下連結金具を介してフロントパネル２の所望位置に連結される。
【００４０】
上連結金具は、図１１に示す中央上連結金具８１と、図１６に示す左側端部上連結金具８２と、左側端部上連結金具８２と左右対称形の右側端部上連結金具８３（図１に示す。）より構成されているが、左側端部上連結金具８２と右側端部上連結金具８３はフロントパネル２の左右端部に位置するサイドパネル３、３の連結に使用されるので、中央上連結金具８１の左側、あるいは右側がフロントパネル２の左側の外方あるいは右側の外方に突出しないよう、中央上連結金具８１のそれぞれ片側を切り落とした形状に形成されている。
【００４１】
すなわち、中央上連結金具８１は、サイドパネル３の後支持脚３１の後面上部に連結される連結用補助板８４（左側端部上連結金具８２、右側端部上連結金具８３にも同一のものが使用されている。）と、後支持脚３１の左右側で連結用補助板８４の後面に前側からネジ止め連結される中央上係止連結板８５より構成されている。
【００４２】
連結用補助板８４は、上下方向中央部が後支持脚３１の幅寸法より大きな縦長略楕円形で、上下端部に後支持脚３１の後面に形成された螺孔と連結するための上下連結孔８４１、８４１が形成され、上下方向中央部が後支持脚３１の左右外方に突出し、この突出部に上下方向に長い前記中央上係止連結板８５の左右連結孔８４２、８４２が形成されている。
【００４３】
中央上係止連結板８５は、前記連結用補助板８４と連結される上前側中央連結部８５１と、上前側中央連結部８５１の下端部に連設された断面略L字形で後方に突出する上中央間隔維持部８５２と、上中央間隔維持部８５２の上端部に連設され、フロントパネル２の上係止溝５２に上方から嵌入係止する中央上係止突片８５３が後端部に形成された中央上端支持部８５４より構成されている。
符号８５５は、中央上係止連結板８５がフロントパネル２に連結された時、フロントパネル２の左右支持脚２１、２１の上端部分と、左右支持脚２１、２１に取付けられた嵌合軸５５・・・の嵌合部５５２・・・が当接しないよう、所定の大きさで切り欠かれた逃がし用きり欠きを示し、符号８５６、８５６は、左右連結孔８４２、８４２に対応する位置で、上前側中央連結部８５１に形成された連結用螺孔を示している。
【００４４】
左側端部上連結金具８２は、サイドパネル３の後支持脚３１の後面上部に連結される連結用補助板８４と、後支持脚３１の左右側で連結用補助板８４の後面に前側からネジ止め連結される左側端部上係止連結板８６より構成されている。
【００４５】
左側端部上係止連結板８６は、前記上連結用補助板８４と連結される上前側左側端部連結部８６１と、上前側左側端部連結部８６１の下端部に連設された断面略L字形で後方に突出する上左側端部間隔維持部８６２と、上左側端部間隔維持部８６２の上端部に連設され、フロントパネル２の上係止溝５２に上方から嵌入係止する左側端部上係止突片８６３が後端部に形成された左側端部上端支持部８６４より構成されている。
【００４６】
符号８６５は、左側端部上係止連結板８６がフロントパネル２に連結された時、フロントパネル２の左右支持脚２１、２１の上端部分と、左右支持脚２１、２１に取付けられた嵌合軸５５・・・の嵌合部５５２・・・が当接しないよう、所定の大きさで切り欠かれた逃がし用きり欠きを示し、符号８６６、８６６は、左右連結孔８４２、８４２に対応する位置で、上前側左側端部連結部８６１に形成された連結用螺孔を示している。
【００４７】
右側端部上連結金具８３は、左側端部上連結金具８２と左右対称形に形成されているので説明は省略する。
又、下連結金具は、中央上連結金具８１、左側端部上連結金具８２、右側端部上連結金具８３とそれぞれ上下対称形に形成された、中央下連結金具９１、左側端部下連結金具９２、右側端部下連結金具９３より構成されている。
すなわち、中央下連結金具９１の場合は、サイドパネル３の後支持脚３１の後面下部に連結される連結用補助板８４と、後支持脚３１の左右側で連結用補助板８４の後面に前側からネジ止め連結される中央下係止連結板９５より構成されている。
中央下係止連結板９５は、前記連結用補助板８４と連結される下前側中央連結部９５１と、下前側中央連結部９５１の上端部に連設された断面略逆L字形で後方に突出する下中央間隔維持部９５２と、下中央間隔維持部９５２の下端部に連設され、フロントパネル２の下係止溝５２に下方から嵌入係止する中央下係止突片９５３が後端部に形成された中央下端支持部９５４より構成されている。
【００４８】
上下連結金具は上記のように構成され、机上に立設されたフロントパネル２にサイドパネル３を連結する時は、組み立てられた状態のサイドパネル３の後支持脚３１の後面上下端部に連結用補助板８４、８４を連結し、上側の連結用補助板８４の後面に中央上連結金具８１、あるいは左側端部上連結金具８２、あるいは右側端部上連結金具８３を仮連結した状態で、中央上係止突片８５３等をフロントパネル２の上桟５に形成された上係止溝５２に上方から嵌入係止し、所望位置にサイドパネル３を仮に立設する。
【００４９】
次に、中央下連結金具９１、あるいは左側端部下連結金具９２、あるいは右側端部下連結金具９３の中央下係止突片９５３等をフロントパネル２の下桟５に形成された下係止溝５２に下方から嵌入係止させ、サイドパネル３の支持台３１１、３１１が前後天板上１０１、１０１上に確実に載置された状態で、下前側中央連結部９５１を下側の連結用補助板８４に前側より連結し、中央上連結金具８１等も上側の連結用補助板８４に確実に連結しサイドパネル３を左右方向で所望の位置に立設する。
この状態で、サイドパネル３の後支持脚３１は、上下中央間隔維持部８５２、９５２等によって、配線ダクト１４の上方及び取外し用天板１０３・・・を避けた位置に立設し、下連結桟７は、前後天板１０１、１０１と所定間隔を有しているので、サイドパネル３が連結された状態であっても、配線作業等に支障をきたす事はない。  
【図面の簡単な説明】
【００５０】
【図１】本発明の机上用ついたてを具備した机の正面図
【図２】図１のＡ−Ａ線拡大断面図
【図３】図２のＣ部拡大図
【図４】図２のＤ部拡大図
【図５】図１のＢ部拡大図
【図６】図５のＦ−Ｆ線拡大断面図
【図７】目隠しスクリーンを取付けたフロントパネルの要部断面図
【図８】表裏にピンナップパネルを取付けたフロントパネルの要部断面図
【図９】表裏にパンチングパネルを取付けたフロントパネルの要部断面図
【図１０】表裏に係止パネルを取付けたフロントパネルの要部断面図
【図１１】中央上連結金具の分解斜視図
【図１２】中央上連結金具が位置する箇所でのフロントパネルとサイドパネルの連結状態を示す平面図
【図１３】図１２のＧ−Ｇ線断面図
【図１４】図３のＥ部拡大図
【図１５】図１３のＨ部拡大図
【図１６】左側端部上連結金具の分解斜視図
【図１７】左側端部上連結金具が位置する箇所でのフロントパネルとサイドパネルの連結状態を示す平面図
【図１８】上下桟を介して目隠しスクリーンと表裏にピンナップパネルを積層したフロントパネルの要部断面図
【図１９】表裏にピンナップパネルとパンチングパネルを取付けたフロントパネルの要部断面図
【符号の説明】
【００５１】
１              机
１０            天板
２              フロントパネル
２１、２１      左右支持脚
３              サイドパネル
５、５          上下桟
５２、５２      上下係止溝  
５４            固定部
５６            取付部
６              パネル部材
６１            ピンナップパネル
６１２、６１２  上下嵌入係止突片
６２            パンチングパネル
６２２、６２２  上下嵌入係止突片    
６３            係止パネル
６３３、６３３  上下嵌入係止突片
６４            目隠しスクリーン
８１            中央上連結金具
８２            左側端部上連結金具
８３            右側端部上連結金具
【図１】
0005148349.tif 000002
【図２】
0005148349.tif 000003
【図３】
0005148349.tif 000004
【図４】
0005148349.tif 000005
【図５】
0005148349.tif 000006
【図６】
0005148349.tif 000007
【図７】
0005148349.tif 000008
【図８】
0005148349.tif 000009
【図９】
0005148349.tif 000010
【図１０】
0005148349.tif 000011
【図１１】
0005148349.tif 000012
【図１２】
0005148349.tif 000013
【図１３】
0005148349.tif 000014
【図１４】
0005148349.tif 000015
【図１５】
0005148349.tif 000016
【図１６】
0005148349.tif 000017
【図１７】
0005148349.tif 000018
【図１８】
0005148349.tif 000019
【図１９】
0005148349.tif 000020